(57)【要約】【課題】録画した番組を効率的に且つ判別しやすく表示すること。【解決手段】実施形態の電子機器は、複数の番組を録画して、録画した番組を記憶部に保存する電子機器であって、録画した番組が番組の情報と共に番組欄に表示される番組表データを生成する番組表生成部を備え、番組表生成部は、横軸または縦軸のいずれか一方に日付が並び、前記横軸または前記縦軸のいずれか他方に番組欄が番組の開始時刻順に並ぶよう番組表データを生成する。  【選択図】図１
2019197951.tif 000002
【特許請求の範囲】
【請求項１】
複数の番組を録画して、録画した番組を記憶部に保存する電子機器であって、
録画した前記番組が前記番組の情報と共に番組欄に表示される番組表データを生成する番組表生成部を備え、
前記番組表生成部は、
横軸または縦軸のいずれか一方に日付が並び、前記横軸または前記縦軸のいずれか他方に前記番組欄が前記番組の開始時刻順に並ぶよう前記番組表データを生成する、
電子機器。
【請求項２】
前記番組表生成部は、
前記番組の録画時間に応じて前記番組表データにおける前記番組欄の縦幅を変更する、
請求項１に記載の電子機器。
【請求項３】
録画した前記番組の前記情報には、前記番組のチャンネル情報が含まれる、
請求項１または請求項２に記載の電子機器。
【請求項４】
前記番組表生成部は、
録画した前記番組の開始時刻が同じである場合は、前記番組表データにおいてチャンネル順に前記番組欄を並べる、
請求項１乃至請求項３のいずれか１項に記載の電子機器。
【請求項５】
前記番組表生成部は、
前記番組の録画時間に応じて前記番組表データにおける前記番組欄の縦幅を変更し、前記縦幅の下限を前記番組欄の少なくとも一部の前記情報が表示可能となるよう設定し、前記縦幅の上限を前記番組欄が一画面で表示可能となるよう設定する、
請求項１乃至請求項４のいずれか１項に記載の電子機器。
【請求項６】
複数の番組を録画して、録画した番組を記憶部に保存する録画ステップと、
録画した前記番組が前記番組の情報と共に番組欄に表示される番組表データを生成する番組表生成ステップと、を含み、
前記番組表生成ステップでは、
横軸または縦軸のいずれか一方に日付が並び、前記横軸または前記縦軸のいずれか他方に前記番組欄が前記番組の開始時刻順に並ぶよう前記番組表データを生成する、
方法。
【発明の詳細な説明】
【技術分野】
【０００１】
本発明の実施形態は、電子機器および方法に関する。
【背景技術】
【０００２】
録画再生装置等の電子機器が録画した番組を番組表形式で表示する技術が知られている。この場合、例えば新聞等のラテ欄の番組表をそのまま流用しただけでは、効率的で且つ判別のしやすい表示をすることができない。
【先行技術文献】
【特許文献】
【０００３】
【特許文献１】特開２０１７−１８４０６６号公報
【発明の概要】
【発明が解決しようとする課題】
【０００４】
本発明が解決しようとする課題は、録画した番組を効率的に且つ判別しやすく表示することができる電子機器および方法を提供することにある。
【課題を解決するための手段】
【０００５】
実施形態の電子機器は、複数の番組を録画して、録画した番組を記憶部に保存する電子機器であって、録画した前記番組が前記番組の情報と共に番組欄に表示される番組表データを生成する番組表生成部を備え、前記番組表生成部は、横軸または縦軸のいずれか一方に日付が並び、前記横軸または前記縦軸のいずれか他方に前記番組欄が前記番組の開始時刻順に並ぶよう前記番組表データを生成する。  
【図面の簡単な説明】
【０００６】
【図１】図１は、実施形態にかかる記録再生装置の構成を示す図である。
【図２】図２は、実施形態にかかる管理テーブルの一例を示す図である。
【図３】図３は、実施形態にかかるタイムシフトマシン過去番組表の表示例を示す図である。
【図４】図４は、実施形態にかかる録画リストの表示例を示す図である。
【図５】図５は、実施形態にかかるお薦め録画番組表の表示例を示す図である。
【図６】図６は、実施形態にかかる記録再生装置の動作を示すフローチャートである。
【図７】図７は、実施形態にかかる記録再生装置の動作を示すフローチャートである。
【発明を実施するための形態】
【０００７】
以下、図面を参照して、実施形態について詳細に説明する。
【０００８】
図１は電子機器の１つの実施の形態の記録再生装置を示す図である。図１に示すように、電子機器は、ディスプレイ１０９、スピーカ１０８が接続され、例えば任意の時間帯に放送事業者が放送する任意数の番組を録画（記録）し再生可能な記録再生装置１である。この記録再生装置１は、例えばブルーレイディスクなどの録画再生用の記録媒体を駆動して録画・再生するドライブ装置を搭載したレコーダ（これを「ＢＤレコーダ」と称す）やレコーダの機能を内蔵したテレビジョン装置であってもよい。また、テレビジョン装置は、番組を受信可能なパーソナルコンピュータ（ＰＣ）や表示部を有する携帯可能な端末装置であってもよい。
【０００９】
なお、番組は、地上デジタル放送やＢＳ放送、ＣＳ放送などで放送（４ｋ８ｋ放送を含む）されるコンテンツの他、配信事業者がネットワークなどを通じて配信するコンテンツであってもよい。また、番組は、ユーザがアクセスした場合、所定の条件に基づいて取得可能に情報供給元が用意するコンテンツであってもよい。さらに、番組は、ストリームあるいは情報と称される場合もある。また、番組は、映像および映像に付属する音声や音楽からなる。映像は、動画と静止画またはコード化された符号列で示される文字や記号などで表されるテキスト情報の少なくとも１つを含む。
【００１０】
また、記録再生装置１が記録する番組の取得の方法は任意の手段で実現される。番組供給元である放送局が、例えば空間波（電波）を用いて送信する放送を受信してもよい。または、番組配信元である配信事業者が、例えば光ファイバ（ケーブル）やインターネット・プロトコル（Ｉｎｔｅｒｎｅｔ  Ｐｒｏｔｏｃａｌ）通信網、等のネットワークを用いて配信する番組を取得してもよい。または、ネットワーク上の番組提供元であるコンテンツサーバからのストリーミング映像（ストリーム）の取得および再生や、ネットワーク機能を使用する映像転送技術等が用いられてもよい。
【００１１】
図１に示すように、実施形態の記録再生装置１は、受信部１０２、復調部１０３、ＭＰＥＧ処理部１０４、出力部１０５、システム制御部１０６、操作入力部１０７、ループ録画部１１０、個別録画部１１１、番組振分部１１２、番組情報管理部１１５、通信制御部１１６、番組表生成部１１７、メモリ１１８、第１記憶装置Ｈ１、および第２記憶装置Ｈ２を有する。
【００１２】
記録再生装置１は、例えば、ＣＰＵ（Ｃｅｎｔｒａｌ  Ｐｒｏｃｅｓｓｉｎｇ  Ｕｎｉｔ）等のハードウェアプロセッサ、メモリ、及び、ＨＤＤ（Ｈａｒｄ  Ｄｉｓｋ  Ｄｒｉｖｅ）等を備えるコンピュータとして構成されている。第１記憶装置Ｈ１および第２記憶装置Ｈ２はＨＤＤ等により実現されている。受信部１０２、復調部１０３、ＭＰＥＧ処理部１０４、出力部１０５、システム制御部１０６、操作入力部１０７、ループ録画部１１０、個別録画部１１１、番組振分部１１２、番組情報管理部１１５、通信制御部１１６、および番組表生成部１１７の各機能は、ＣＰＵがプログラムを実行することにより実現されている。ただし、これらの各機能のうちの一部または全部が、専用のハードウェア回路で実現されてもよい。
【００１３】
受信部１０２は、アンテナ１０１と接続されている。出力部１０５は、映像（ｖｉｄｅｏ）を表示するディスプレイ（表示部）１０９および音声／音響（ａｕｄｉｏ）を再生するスピーカ１０８と接続されている。通信制御部１１６は、ネットワーク３を経由して外部のサーバ２と接続されている。なお、ディスプレイ１０９およびスピーカ１０８あるいはそれらの少なくとも一方は、記録再生装置１と非接触で映像または音声／音響を、例えば無線通信により取得するものであってもよい。また、ディスプレイ１０９およびスピーカ１０８は、記録再生装置１と一体であってもよい。
【００１４】
アンテナ１０１から受信部１０２に入力されるテレビ放送信号は、受信部１０２においてＩＦ（中間周波数）信号に変換される。復調部１０３は、ＩＦ信号からデジタル信号（ＴＳ：トランスポートストリーム）を抽出し、ＭＰＥＧ処理部１０４に出力する。
【００１５】
ＭＰＥＧ処理部１０４は、ＴＳを、映像成分、音声／音響成分、および電子番組表（ＥＰＧ）表示用のＳＩ（Ｓｅｒｖｉｃｅ  Ｉｎｆｏｒｍａｔｉｏｎ）に分離し、映像や音声／音響をデコードする。デコードされた映像データ・音声／音響データは、出力部１０５からディスプレイ１０９およびスピーカ１０８に出力される。
【００１６】
主制御ブロックであるシステム制御部１０６は、各処理部の動作を統括的に制御する。システム制御部１０６はまた、操作入力部１０７が受け付けるリモコン（リモートコントローラ）端末やタブレットＰＣ、等からの制御入力（操作指示）に対応する各種の制御コマンドを出力する。制御コマンドとは、例えばテレビ放送の録画、録画されたコンテンツの再生等を指示するコマンドである。
【００１７】
ループ録画部１１０は、チャンネルと時間帯で設定された録画予約（これを「第１録画予約」と称す）を基に番組を第１録画装置Ｈ１にループ録画（ループ記録）する第１記録制御部である。
【００１８】
詳細に説明すると、ループ録画部１１０は、予め設定された第１録画予約に基づいて、例えば６チャンネル分の番組を２週間分程度、第１記憶装置Ｈ１にループ録画する。つまり、第１記憶装置Ｈ１には、ループ録画部１１０による記録制御により、６チャンネル分の番組が２週間分程度、ループ録画される。このように、第１記憶装置Ｈ１は、チャンネルと時間帯の指定で番組がループ録画される第１記憶部である。また、このように、１または複数のチャンネルと時間帯とを指定して周期的に録画を繰り返す録画をループ録画の他、タイムシフトマシン録画ともいう。ここで、ループ録画とは必ずしも一般的なループ記録をしている必要はなく、例えば１番組１ファイルで録画し、空き容量が足りなくなったら録画（記録）日時が古い番組から順に消去し、この消去し空いた領域に新たな番組を記録するものも含む。
【００１９】
つまり、ここでのループ録画は、例えば、記録容量の残りがなくなった時点で、録画済みの番組を、録画日時が古い番組から順に上書きして消去する録画方式である。なお、ループ録画するチャンネルの数と時間帯および記録レート（データサイズ。記録する際の記録品質）は、ユーザ（視聴者）が任意に設定できる。
【００２０】
個別録画部１１１は、ループ録画とは別に番組を個別に設定した録画予約（これを「第２録画予約」と称す）を基に第２記憶装置Ｈ２に記録する第２記録制御部である。このような録画は、ＰＶＲ（Ｐｅｒｓｏｎａｌ  Ｖｉｄｅｏ  Ｒｅｃｏｒｄｅｒ）録画とも称される。詳細に説明すると、個別録画部１１１は、ユーザによる操作入力部１０７を介した録画予約の指示、あるいはネットワーク３を経由した外部からの録画予約の指示などで設定された第２録画予約に基づいて、指示された任意の番組を録画する。
【００２１】
第２記憶装置Ｈ２には、個別録画部１１１による記録制御により、予め設定された第２録画予約または録画操作の指示に基づいて任意の番組が録画される。つまり第２記憶装置Ｈ２は、ループ録画とは別に番組を個別に指定して録画および再生するのに使用される第２記憶部である。
【００２２】
メモリ１１８には、第１録画予約、第２録画予約などの設定が記憶される。メモリ１１８には、管理テーブル２１（図２参照）が記憶される。また、メモリ１１８には、サーバ２へ送るユーザ嗜好の情報やサーバ２から取得されたお薦め番組の情報などが記憶される。ユーザ嗜好の情報は、過去にユーザが番組を視聴、録画および再生した状況を示すものである。
【００２３】
具体的には、ユーザ嗜好の情報は、リモコン端末の操作内容と番組ＩＤおよびそれに紐づく番組の属性情報である。リモコン端末の操作内容としては、例えば視聴、録画、再生時にユーザが入力したキーワードやＥＰＧ、タイムシフトマシン過去番組表の番組欄の選択、確定操作などである。
【００２４】
通信制御部１１６は、ネットワーク３上のサーバ２に接続し、メモリ１１８に保持されているユーザ嗜好の情報を読み出してネットワーク３を経由してサーバ２に送り、サーバ２からユーザ嗜好に適するお薦め番組の情報を取得するお薦め情報取得部である。
【００２５】
番組振分部１１２は、通信制御部１１６がサーバ２から取得したお薦め情報を基に録画予約する番組を、個別録画部１１１による第２録画予約に振り分ける。
【００２６】
番組情報管理部１１５は、録画済みの番組の属性情報を管理テーブル２１（図２参照）で管理する。サーバ２から通知された番組の情報が新規な情報である場合は、図２に一例を示す管理テーブル２１に新たなレコードを設定し、番組の番組ＩＤにより番組の情報を保存および管理する。
【００２７】
また、番組情報管理部１１５は、管理テーブル２１において、ユーザにより保護対象に指定された番組については番組ＩＤの保護の欄に“１”を設定し、保護対象ではない番組ＩＤの保護の欄に“０”を設定する。
【００２８】
保護対象ではない番組ＩＤの保護欄には予めデフォルト値として“０”が設定されていてもよい。このようにして第２記憶装置Ｈ２内に保持されている番組の属性情報が保持および管理される。
【００２９】
番組表生成部１１７は、録画予約時に、ユーザにより電子番組表（ＥＰＧ）の表示操作がなされることにより、システム制御部１０６による制御の下で、外部より取得したＥＰＧ情報に基づき番組表データ（ＥＰＧデータ）を生成する。番組表データは、出力部１０５が番組表表示信号に変換しディスプレイ１０９に出力される。ディスプレイ１０９の画面に表示される番組表、つまりＥＰＧは、放送される番組のリストを時間帯（縦軸）とチャンネル（横軸）で指定可能な番組欄を表形式（セル形式）に表したものである。
【００３０】
また、番組表生成部１１７は、番組再生時などに、ユーザによりタイムシフトマシン過去番組表表示操作がなされることにより、システム制御部１０６による制御の下で、録画済みの番組の属性情報に基づきタイムシフトマシン過去番組表データを生成する。タイムシフトマシン過去番組表データは、出力部１０５が番組表表示信号に変換しディスプレイ１０９に出力する。
【００３１】
タイムシフトマシン過去番組表データは、ループ録画部１１０により録画済みの番組の属性情報を基に、再生可能な録画済み番組のタイトル（番組名）、番組の内容、出演者などのＥＰＧ情報の一部の情報を表示する番組欄を有する録画済み番組の再生用のリストである。ディスプレイ１０９に表示されるタイムシフトマシン過去番組表は、図３に示すように、録画済みの番組を指定可能な番組欄をチャンネル軸と時間軸とを備えたラテ欄の番組表形式（セル形式）に表したものである。ユーザはリモコン端末等で録画済みの所望の番組を指定してから再生指示することにより、番組を再生視聴することができる。
【００３２】
また、番組表生成部１１７は、番組再生時などに、ユーザにより録画リスト表示操作がなされることにより、システム制御部１０６による制御の下で、録画済みの番組の属性に基づき録画リストデータを生成する。録画リストデータは、出力部１０５が番組表表示信号に変換しディスプレイ１０９に出力する。
【００３３】
録画リストデータは、個別録画部１１１により録画済みの番組のうち、ユーザによる操作入力部１０７を介した録画予約の指示により録画された番組の再生用のリストである。図４に示すように、録画リストの画面上では、再生可能な録画済み番組をすべて表示させることができる。あるいは、未視聴の番組のみを表示させたり、曜日別、ジャンル別等に区分けして表示させたりすることができる。また、例えば画面左上に再生動画表示領域を有し、この領域に録画リスト上で選択中の録画番組（フォーカスされている番組）の動画を再生表示させることができる。また、錠前（ロック）のマークの付いた番組は、削除防止の保護が掛かった番組である。このような所定の番組に対する保護は、録画リストの画面上、または、後述するお薦め録画番組表の画面で設定することができる。
【００３４】
また、番組表生成部１１７は、録画した番組が番組の情報と共に番組欄に表示される番組表データとしてのお薦め録画番組表データを生成する。その際、番組表生成部１１７は、横軸に日付が並び、縦軸に番組欄が番組の開始時刻順（開始時刻の早い順または開始時刻の遅い順）に並ぶようお薦め録画番組表データを生成する。
【００３５】
詳細に説明すると、番組表生成部１１７は、番組再生時などに、ユーザによりお薦め録画番組表表示操作がなされることにより、システム制御部１０６による制御の下で、録画済みの番組の属性に基づきお薦め録画番組表データを生成する。お薦め録画番組表データは、出力部１０５が番組表表示信号に変換しディスプレイ１０９に出力する。
【００３６】
お薦め録画番組表データは、個別録画部１１１により録画済みの番組のうち、通信制御部１１６がサーバ２から取得したお薦め情報を基に録画された番組の再生用のリストである。お薦め録画番組表の画面の詳細については後述する。
【００３７】
サーバ２は、通信部２０１、お薦め情報生成部２０２および記憶部２０３を有している。サーバ２は、記録再生装置１からネットワーク３を通じた情報提供要求に応じて、記録再生装置１による通信部２０１への接続やお薦め情報生成部２０２へのアクセスを許可する。また、サーバ２は、お薦め情報生成部２０２から記録再生装置１へのお薦め情報の複製（ダウンロード）などを許可する。なお、サーバ２による情報提供サービスは、クラウドサービスまたはクラウドと呼ばれる場合もある。
【００３８】
サーバ２の通信部２０１は、お薦め番組の情報の生成に用いるユーザ嗜好の情報をネットワーク３に接続された記録再生装置１から取得して記憶部２０３に記憶すると共にお薦め情報生成部２０２に渡す。また、通信部２０１は、お薦め情報生成部２０２が生成したお薦め番組の情報を受け取り、ネットワーク３を通じて記録再生装置１へ送信する。お薦め情報生成部２０２は、ユーザ嗜好に適するお薦め番組の情報を生成し記憶部２０３に記憶する。
【００３９】
記憶部２０３には、通信部２０１が記録再生装置１から取得したユーザ嗜好の情報やお薦め情報生成部２０２により生成されたお薦め番組の情報が保持される。なお、この他、ネットワーク３には、放送局サーバが接続されており、例えば任意の番組の次回予告やその放送局のオリジナルのＥＰＧを保持しており、必要に応じて記録再生装置１に提供する。
【００４０】
次に、図５を用い、お薦め録画番組表の画面の詳細について説明する。
【００４１】
図５は、実施形態にかかるお薦め録画番組表の表示例を示す図である。上述のように、お薦め録画番組表の画面は、サーバ２からのお薦め情報を基に録画された番組再生用のお薦め録画番組表データに基づき表示される。ただし、図５の例のように、お薦め録画番組表に、ユーザによる録画指示により録画された番組を含めて表示してもよい。また、日付軸は横軸でなく縦軸としてもよい。
【００４２】
図５に示すように、お薦め録画番組表では、録画した番組が番組の情報と共に番組欄に表示されている。番組の情報には、例えば、番組名、番組の内容、出演者などのＥＰＧ情報の一部の情報等が含まれる。番組の情報には、その番組を放送したチャンネルの情報も含まれ、各番組欄にはチャンネルが表示される。また、サーバ２からのお薦め情報を基に録画された番組には「お薦め」の表示がなされる。また、ユーザは、例えばリモコン端末の「錠前」ボタンを押下することで、所定の番組に削除防止の保護を設定することができる。保護の掛かった番組にはセルの右上の位置に「錠前」マークが表示される。視聴済みの番組は、２月３０日の午後５時の「夕方のニュース」のように、番組欄の背景が例えば灰色に表示される。ただし、視聴済みである旨の表示をアイコン等で行ってもよい。
【００４３】
また、お薦め録画番組表では、横軸に日付が並び、縦軸に番組欄が番組の開始時刻順（開始時刻の早い順または開始時刻の遅い順）に並んでいる。番組の開始時刻が同じである場合は、チャンネル順（例えば、チャンネル番号の小さい順または大きい順）に番組欄が並べられる。つまり、縦軸の時間軸は既存の番組表のような絶対時間ではない。横軸の日付は、例えば表示させた日にちを最終日とする１週間単位で表示される。録画時間が他より短かった日においては、表示枠下方の録画番組が存在しない時間帯が例えば濃い灰色で表示される。終日、録画を行わなかった日であってもその日付の枠は空欄のまま維持される。これにより、例えばリモコン端末の「週切替」ボタン（リモコン端末の“＜＜”ボタンまたは“＞＞”ボタン）を押下することで、週単位で画面表示を切り替えることができる。
【００４４】
また、お薦め録画番組表では、基本的に番組の長さに応じた縦幅となるよう番組欄（セル）が設定されている。ただし、番組欄（セル）の縦幅には下限と上限とがある。縦幅の下限は、番組欄の情報が表示可能となるよう設定されている。番組の情報は、番組名等少なくともその一部が表示されればよい。縦幅の上限は、番組欄が一画面で表示可能となるよう設定されている。
【００４５】
以下、図６のフローチャートを参照して実施形態の記録再生装置１のお薦め情報に基づく録画にかかる動作について説明する。
【００４６】
図６に示すように、記録再生装置１では、通信制御部１１６が、過去にユーザが番組を視聴、録画および再生した状況からユーザ嗜好に適するお薦め番組の情報をサーバ２から取得し（ステップＳ１０１）、番組振分部１１２に渡す。
【００４７】
サーバ２から取得したお薦め番組には番組ＩＤとそれに紐づく番組名、そのチャンネルなどが含まれているので、番組振分部１１２は、お薦め番組に該当する番組とそのチャンネルを、電子番組表情報から検索する（ステップＳ１０２）。番組振分部１１２は、その番組を個別録画部１１１による第２録画予約に設定する（ステップＳ１０３）。
【００４８】
そして、時刻が、第２録画予約の録画予約時刻になると、個別録画部１１１が録画を開始し、録画終了時刻になると、録画を終了する（ステップＳ１０４〜Ｓ１０７）。
【００４９】
この際、個別録画部１１１は第２記憶装置Ｈ２を使用して番組を録画する。また、録画される各番組の属性情報は、メモリ１１８に記憶され、その情報が管理テーブル２１に記憶される。
【００５０】
次に、図７のフローチャートを参照して実施形態の記録再生装置１のお薦め録画番組表の表示にかかる動作について説明する。
【００５１】
図７に示すように、記録再生装置１は、ユーザによりお薦め録画番組表表示操作がされるのを待つ（ステップＳ２０１：Ｎｏ）。
【００５２】
お薦め録画番組表表示操作（例えば、リモコン端末の「お薦め録画番組表」ボタンを押下）がされると（ステップＳ２０１：Ｙｅｓ）、番組表生成部１１７が、番組情報管理部１１５が管理する管理テーブル２１を参照し、表示対象の番組の属性情報を取得する（ステップＳ２０２）。また、番組表生成部１１７は、取得した番組の属性情報を基に、お薦め録画番組表データを生成する（ステップＳ２０３）。
【００５３】
出力部１０５は、お薦め録画番組表データを番組表表示信号に変換しディスプレイ１０９に出力する（ステップＳ２０４）。
【００５４】
以上により、記録再生装置１のお薦め録画番組表の表示にかかる動作が終了する。
【００５５】
実施形態の記録再生装置１が表示するお薦め録画番組表においては、横軸に日付が並び、縦軸に番組欄が番組の開始時刻順（開始時刻の早い順または開始時刻の遅い順）に並んでいる。これにより、例えば横軸にチャンネルを並べたとすると録画番組のない空き時間帯が多く表示されてしまうところ、より効率的に録画した番組を表示することができる。また、番組欄が録画開始時刻順に並んでいるので、その日の放送された順がひと目で判別できる。
【００５６】
実施形態の記録再生装置１が表示するお薦め録画番組表においては、番組の録画時間に応じて番組欄の縦幅が変更されている。これにより、ユーザが番組の視聴時間をひと目で把握することができる。
【００５７】
実施形態の記録再生装置１が表示するお薦め録画番組表においては、番組欄の縦幅に下限と上限とがある。これにより、録画時間の短い番組であっても、番組名等の必要最小限の情報を表示させることができる。また、録画時間の長い番組であっても、何度もスクロールすることなく、全体を表示させることができる。
【００５８】
実施形態の記録再生装置１が表示するお薦め録画番組表においては、視聴済みの番組欄の背景が例えば灰色に表示されている。これにより、ユーザが未視聴の番組と視聴済みの番組とをひと目で判別することができる。
【００５９】
実施形態の記録再生装置１が表示するお薦め録画番組表においては、横軸の日付が例えば１週間単位で表示される。これにより、例えば連続ドラマなどのように曜日ごとに放送される番組の表示位置を一定にすることができ、視聴したい番組を探しやすくなる。
【００６０】
上述の実施形態では、お薦め録画番組表における縦軸の並びは番組の開始時刻順としたがこれに限られない。番組欄の並び順は、チャンネル順、番組名順、ジャンル順等であってもよい。あるいは、ユーザが設定により、これらの表示を切り替えられるようにしてもよい。
【００６１】
上述の実施形態では、お薦め録画番組表に、ユーザによる録画指示により録画された番組を含めることとしたがこれに限られない。お薦め録画番組表は、サーバ２からのお薦め情報を基に録画された番組のみを表示するようにしてもよい。また、お薦め録画番組表に、ループ録画部１１０により録画済みの番組を含めてもよい。あるいは、ユーザが設定により、これらの表示を切り替えられるようにしてもよい。
【００６２】
上述の実施形態のお薦め録画番組表の種々の表示方式を、タイムシフトマシン過去番組表および録画リストの少なくともいずれか一方に適用してもよい。すなわち、タイムシフトマシン過去番組表や録画リストにおいて、横軸に日付が並び、縦軸に番組欄が番組の開始時刻順に並ぶようにしてもよい。その際、番組の録画時間に応じて番組欄の縦幅が変更されるようにしてもよい。
【００６３】
上述の実施形態では、ネットワーク３上のサーバ２に、お薦め情報生成部２０２を設け、サーバ２と記録再生装置１との通信によりお薦め番組の情報を取得したが、お薦め情報生成部２０２を記録再生装置１に設け、このお薦め番組の取得機能を装置内部で完結してもよい。
【００６４】
本発明の実施形態について説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６５】
また上記実施形態に示した各構成要素を、コンピュータのハードディスク装置などのストレージにインストールしたプログラムで実現してもよく、また上記プログラムを、コンピュータ読取可能な電子媒体に記憶しておき、プログラムを電子媒体からコンピュータに読み取らせることで本発明の機能をコンピュータが実現するようにしてもよい。電子媒体としては、例えばＣＤ−ＲＯＭ等の記録媒体やフラッシュメモリ、リムーバブルメディア等が含まれる。さらに、ネットワークを介して接続した異なるコンピュータに構成要素を分散して記憶し、各構成要素を機能させたコンピュータ間で通信することで実現してもよい。
【符号の説明】
【００６６】
１…記録再生装置、２…サーバ、３…ネットワーク、１０２…受信部、１０３…復調部、１０４…ＭＰＥＧ処理部、１０５…出力部、１０６…システム制御部、１０７…操作入力部、１１０…ループ録画部、１１１…個別録画部、１１２…番組振分部、１１５…番組情報管理部、１１６…通信制御部、１１７…番組表生成部、１１８…メモリ。
【図１】
2019197951.tif 000003
【図２】
2019197951.tif 000004
【図３】
2019197951.tif 000005
【図４】
2019197951.tif 000006
【図５】
2019197951.tif 000007
【図６】
2019197951.tif 000008
【図７】
2019197951.tif 000009